(57)【要約】  一態様によれば、効率的且つ便利な手法で組み立てられ得る電灯用の口金が提供される。口金は、筐体の第１端部部分と第２端部部分との間に軸方向に延在する筒状筐体２と、筐体２に対する、絶縁体４’の、その軸方向を中心とした回転が防止されるように筐体の第１端部部分に取り付けられた絶縁体４’を含む。絶縁体４’は、筐体２の内部スペースの方に面する内側部分と、前記内部スペースの逆側に面する外側部分と、接続ピン５を受容するための少なくとも１つのチャネルと、を含む。チャネルは外側部分から延在し、絶縁体を通過し、前記内部スペース内に通じている。口金は電灯を動作するための電気回路を収容するためのハウジング３を更に含む。ハウジング３は、絶縁体に対する、ハウジングの、その軸方向を中心とした回転が防止され、筐体２に対するハウジング３の回転が防止されるように絶縁体４’の内側部分に取り付けられている。
2015522919.tif 000002
【特許請求の範囲】
【請求項１】
筒状筐体の第１端部部分と第２端部部分との間の軸方向に延在する前記筒状筐体と、
前記軸方向周りの前記筒状筐体に対する絶縁体の回転が防止されるように前記筒状筐体の前記第１端部部分に取り付けられた前記絶縁体と、
電灯の動作のための電気回路を収容するためのハウジングとを有する、電灯用の口金であって、
前記絶縁体は、前記筒状筐体の内部スペースの方に面する内側部分と、前記内部スペースから離れる側に面する外側部分と、導電性の接続ピンを受容するための少なくとも１つのチャネルであって、前記外側部分から延在し、前記絶縁体を通って、前記内部スペースに通じている前記少なくとも１つのチャネルとを有し、
前記ハウジングは、前記絶縁体に対する前記ハウジングの前記軸方向周りの回転が防止され、前記筒状筐体に対する前記ハウジングの回転が防止されるように前記絶縁体の前記内側部分に取り付けられている、電灯用の口金。
【請求項２】
前記絶縁体と前記ハウジングとの間の分離が少なくとも前記軸方向において防止されるように、前記絶縁体と前記ハウジングとを互いに接続するための取付部材を更に含む、請求項１に記載の口金。
【請求項３】
前記取付部材は前記絶縁体及び前記ハウジングのうちの一方の一部を形成し、前記取付部材は前記絶縁体及び前記ハウジングのうちの他方の係合部と係合し、前記係合部は前記ハウジング又は前記絶縁体の前記内側部分の方向に面し、前記取付部材は前記係合部に溶接されている、請求項２に記載の口金。
【請求項４】
前記取付部材は前記絶縁体及び前記ハウジングのうちの一方の一部を形成し、前記取付部材は前記絶縁体及び前記ハウジングのうちの他方に向かって延在し、前記絶縁体と前記ハウジングとの間の分離が少なくとも前記軸方向において防止されるように前記絶縁体及び前記ハウジングのうちの前記他方の係合部と係合する側方突起物又は凹部を持つ、請求項２に記載の口金。
【請求項５】
前記取付部材は前記絶縁体と一体的に形成される、請求項４に記載の口金。
【請求項６】
前記絶縁体と前記ハウジングとの間のインターフェースが、前記ハウジングの外側と前記筒状筐体の内側との間に形成された環状スペースから前記ハウジングの内部スペースを分離する、請求項１に記載の口金。
【請求項７】
前記絶縁体は、前記絶縁体の前記内側部分に配置される隔壁部材であって、前記ハウジングの端部部分に向かって前記軸方向に延在する前記隔壁部材を含む、請求項１乃至６の何れか一項に記載の口金。
【請求項８】
前記取付部材は、前記絶縁体の前記隔壁部材の縁端部の一部を形成し、前記ハウジングの係合部に溶接される、請求項７に記載の口金。
【請求項９】
前記ハウジングは、前記ハウジングの端部部分に配置される隔壁部材であって、前記絶縁体の前記内側部分に向かって前記軸方向に延在する前記隔壁部材を含む、請求項１乃至６の何れか一項に記載の口金。
【請求項１０】
前記絶縁体の前記内側部分は、前記ハウジングの端部部分に向かって前記軸方向に延在する第１表面を備え、
前記ハウジングの前記端部部分は、前記絶縁体の前記内側部分に向かって前記軸方向に延在する第２表面を備え、
前記第１表面と前記第２表面とは互いに沿って延在し且つ接触する、請求項１乃至６の何れか一項に記載の口金。
【請求項１１】
前記ハウジングの前記隔壁部材は、前記ハウジングの内部スペースから、前記ハウジングの外側と前記筒状筐体の内側との間に形成された環状スペース内へと延在する接続ワイヤを収容するためのワイヤ用チャネルを含む、請求項１０に記載の口金。
【請求項１２】
前記ハウジングは、前記ハウジングの前記端部部分に配置される接続部を有し、前記接続部は、前記絶縁体の前記少なくとも１つのチャネルと軸方向に整列されている第１チャネルを含み、前記接続部は、前記導電性の接続ピンの端部部分と、前記ハウジングの内部スペースから延在する接続ワイヤとを受容する、請求項１０又は１１に記載の口金。
【請求項１３】
前記接続部は、前記接続部の壁を通って延在する第２チャネルであって、前記第１チャネルに通じている前記第２チャネルを含み、前記第２チャネルは接続ワイヤを受容する、請求項１２に記載の口金。
【請求項１４】
請求項１乃至１３の何れか一項に記載の口金と、前記口金に配置され、少なくとも１つの光源を含む照明モジュールとを含む電気ランプ。
【請求項１５】
筒状筐体の第１端部部分と第２端部部分との間の軸方向に延在する前記筒状筐体と、前記軸方向周りの前記筒状筐体に対する絶縁体の回転が防止されるように前記筒状筐体の前記第１端部部分に取り付けられた前記絶縁体とを提供するステップであって、前記絶縁体は、前記筒状筐体の内部スペースの方に面する内側部分と、前記内部スペースから離れる側に面する外側部分と、導電性の接続ピンを受容するための少なくとも１つのチャネルであって、前記外側部分から延在し、前記絶縁体を通って、前記内部スペースに通じている前記少なくとも１つのチャネルとを有する、前記提供するステップと、
前記軸方向周りの前記絶縁体に対するハウジングの回転が防止され、前記筒状筐体に対する前記ハウジングの回転が防止されるように、電灯の動作のための電気回路を収容するための前記ハウジングを前記絶縁体の前記内側部分に取り付けるステップと
を含む、電灯用の口金を組み立てる方法。
【発明の詳細な説明】
【技術分野】
【０００１】
本発明の概念は、電気ランプの口金及び電気ランプの口金を組み立てる方法に関する。
【背景技術】
【０００２】
発光ダイオード（ＬＥＤ）の分野における発展により、屋内及び屋外照明の双方において、白熱光ランプ又は蛍光ランプなどの従来の光源の、ＬＥＤランプとの入替が実施可能且つ経済的になった。ＬＥＤランプの良好なエネルギ効率及び長寿命を考えると、ＬＥＤランプはそれらの旧来の相当物よりも環境に配慮するものであるとみなされることが多い。
【０００３】
今日、ＬＥＤランプは種々の設計において入手可能である。一部のＬＥＤランプ設計は既存の照明取付具及びソケットと互換性がある。例えば、ソケット（即ちエジソンねじ取付具）にねじ込まれても良いねじ状の口金がＬＥＤランプに設けられても良い。１つの設計においては、ＬＥＤランプは、ねじ状の導電性の筐体と、ＬＥＤドライバなどの電気回路を含むハウジングと、を含む口金に配置された１つ又は複数のＬＥＤを含む照明モジュールを含む。照明モジュールはハウジングに取り付けられ、ハウジングは、更には、筐体に締め付けられており、それによって、ハウジングと筐体との間に耐ねじれ連結（torsion resistant connection）を提供する。ランプはソケット内にねじ込まれても良い。米国特許第７，９６５，０２３号は、熱放散ハウジングと、絶縁ハウジングと、エジソン式電極キャップ（Edison electrode cap）と、を含む別の設計を開示する。絶縁ハウジングは電源プリント回路基板（ＰＣＢ）を含む。１つの部品に組み合わせるためねじ接続手法により電極キャップの上部開口部縁端が絶縁ハウジングの下端部に連結される。電極キャップ及び絶縁ハウジングは、その後、熱放散ハウジングの軸方向通し穴内に取り付けられる。
【発明の概要】
【発明が解決しようとする課題】
【０００４】
上述のＬＥＤランプ設計には改良の余地があることが認識されている。特に、筐体へのハウジングの締め付け（ピンチング）又は絶縁体ハウジングと電極キャップとの間のねじ接続はとりわけ口金が組み立てられ得る効率を制限する場合があることが認識されている。従って、本発明の目的は、効率的な組み立てにより適した口金を提供することによってこの欠点に対処し、この欠点を少なくとも一部低減することである。
【課題を解決するための手段】
【０００５】
本発明の第１の態様によれば、この目的及び他の目的は、筐体の第１端部部分と第２端部部分との間に軸方向に延在する筒状筐体と、軸方向周りの筐体に対する絶縁体の回転が防止されるように筐体の第１端部部分に取り付けられた絶縁体とを含む電灯用の口金であって、絶縁体は、筐体の内部スペースの方に面する内側部分と、前記内部スペースから離れる側に面する外側部分と、導電性の接続ピンを受容するための少なくとも１つのチャネルであって、外側部分から延在し、絶縁体を通って、前記内部スペースに通じている少なくとも１つのチャネルとを有する、電灯用の口金によって達成される。口金は電灯を動作するための電気回路を収容するためのハウジングを更に含む。ハウジングは、絶縁体に対するハウジングの軸方向周りの回転が防止され、筐体に対するハウジングの回転が防止されるように絶縁体の内側部分に取り付けられている。
【０００６】
本発明の第１の態様によれば、効率且つ便利な手法で組み立てられても良い改良型の口金は、ハウジングの回転が絶縁体に伝達され、絶縁体に対するハウジングの回転が防止されるようにハウジングを絶縁体に取り付けることにより達成されても良いことが認識されている。筐体に対するハウジングの回転が防止されるため、本発明の口金を含むランプは、エジソンねじ取付式ソケット（Edison screw fitting socket）又は差込み取付式ソケット（bayonet mount socket）などの対応するソケット内にねじる動作で容易に挿入されても良い。更に、有利には双方ともがプラスチック又はガラス製であっても良い絶縁体及び／又はハウジングに、絶縁体とハウジングとの間の迅速且つ信頼性の高い接続を可能にする特徴が容易に提供されても良いことが認識されている。それによって、時間のかかる可能性のある、ハウジングを筐体に締め付ける又はハウジングを筐体にねじ止めする別個の組み立てステップが回避されても良い。
【０００７】
一実施形態によれば、口金は、更に、絶縁体とハウジングとの間の分離が少なくとも前記軸方向において防止されるように絶縁体とハウジングとを互いに接続するため配置された取付部材を含む。ハウジングは、それによって、筐体に対して固定された軸方向位置に配置され得る。従って、筐体に対するハウジングの回転及び軸方向変位の両方が防止され得る。
【０００８】
取付部材は絶縁体の一部を形成しても良く、且つハウジングの係合部と係合するように配置されても良く、取付部材は前記係合部に溶接されている。係合部は絶縁体の内側部分の方向に面しても良い。別法として、取付部材はハウジングの一部を形成しても良く、且つ絶縁体の係合部と係合するように配置されても良く、取付部材は前記係合部に溶接されても良い。係合部はハウジングの方向に面し得る。これら選択によれば、取付部材は、少なくとも前記軸方向における絶縁体とハウジングとの間の分離を防止するために、及び前記軸方向を中心とした絶縁体に対するハウジングの回転を防止するために配置されている。従って、ハウジングは取付部材及び絶縁体によって筐体に接続されることを必要とするのみである。
【０００９】
取付部材には側方突起物又は凹部が設けられても良い。取付部材は絶縁体の一部を形成しても良く、且つハウジングに向かって延在しても良い。少なくとも前記軸方向における絶縁体とハウジングとの間の分離が防止されるように側方突起物又は凹部はハウジングの係合部と係合するようになっていても良い。別法として、取付部材はハウジングの一部を形成しても良く、且つ絶縁体に向かって延在しても良い。絶縁体とハウジングとの間の分離が少なくとも軸方向において防止されるように側方突起物又は凹部は絶縁体の係合部と係合するようになっていても良い。ハウジングと絶縁体は、故に、側方突起物又は凹部が対応する係合部と係合し得るように部品を組み合わせることによって効率的な手法で互いに取り付けられ得る。取付部材と係合部は、従って、スナップロックを形成しても良く、ハウジングと絶縁体はスナップロック構成において互いに取り付けられても良い。取付部材は絶縁体又はハウジングと一体的に形成されても良く、組み立て時に取り扱われる必要がある部品の数の削減を可能にする。
【００１０】
一実施形態によれば、絶縁体とハウジングとの間のインターフェースは、ハウジングの外側と筐体の内側との間に形成された環状スペースからハウジングの内部スペースを分離するために配置されている。ハウジング内に注封材料（ポッティング材料）が入れられる場合、インターフェースは、そうでなければ起こる可能性のある環状スペース内への注封材料の漏れを防止し得る。これは注封材料が口金の他の部品に干渉するリスクを低減し、また、ハウジングを充填するのに必要とされる注封材料の量を低減し得る。
【００１１】
一実施形態によれば、絶縁体の内側部分にはハウジングの端部部分に向かって前記軸方向に延在する第１表面が設けられており、ハウジングの端部部分には絶縁体の内側部分に向かって前記軸方向に延在する第２表面が設けられている。第１表面と第２表面は互いに沿って延在し、且つ接触するように配置されている。第１表面と第２表面は、従って、絶縁体に対する、ハウジングの、その軸方向を中心とした回転を防止するために協働し得る。ハウジングと絶縁体との間の連結部のねじれ抵抗がそれによって有利に補強され得る。
【００１２】
一実施形態によれば、絶縁体は、絶縁体の内側部分に配置され、ハウジングの端部部分に向かって前記軸方向に延在する隔壁部材を含む。ハウジング内に注封材料が入れられる場合、隔壁部材は、従って、隔壁部材を越える注封材料の漏れを防止し得る。上述の取付部材を含む実施形態においては、取付部材は絶縁体の隔壁部材の縁端部の一部を形成しても良く、且つハウジングの係合部に溶接されても良い。従って、隔壁部材は、ハウジングとの耐ねじれ性の連結を可能にすると同時に、注封材の漏れに対するバリアを提供するという二重の機能を呈し得る。別法として、ハウジングは、ハウジングの端部部分に配置され、絶縁体の内側部分に向かって前記軸方向に延在する隔壁部材を含んでも良い。
【００１３】
一実施形態によれば、絶縁体は、絶縁体の内側部分に配置されている、ハウジングの端部部分に向かって前記軸方向に延在する隔壁部材を含み、ハウジングは、ハウジングの端部部分に配置されている、絶縁体の内側部分に向かって前記軸方向に延在する隔壁部材を含む。絶縁体の隔壁部材の側部表面はハウジングの隔壁部材の側部表面に沿って延在し且つ接触する。この実施形態は、前述のように、ハウジングと絶縁体との間の連結部のねじれ抵抗が有利に強化されることを可能にし、加えて、ハウジングからの注封材料の漏れを防止し得る。
【００１４】
一実施形態によれば、筐体は金属などの導電性の材料を含む。筐体に外部ねじ山が設けられても良い。口金は、従って、エジソン型ねじ取付具内において使用されても良い。
【００１５】
幾つかの実施形態では、ハウジングは、ハウジングの内部スペースから、ハウジングの外側と筐体の内側との間に形成された環状スペース内に延在する接続ワイヤを収容するために配置されたワイヤ用チャネルを含んでも良い。ハウジング内に配置された回路は、それによって、便利な手法で筐体の導電性部分にガルバニック接続され得る。
【００１６】
一実施形態によれば、ハウジングは、ハウジングの端部部分に配置されており、導電性の接続ピンを受容するように配置されている、絶縁体の少なくとも１つのチャネルと軸方向に整列されている第１チャネルを含む接続部を含み、接続部は、接続ピンの端部部分と、ハウジングの内部スペースから延在する接続ワイヤとを受容するように配置されている。ハウジング内の回路は、故に、接続部の第１チャネル内に接続ワイヤを配置し、その後、その中に接続ピンを挿入することによって便利な手法で接続ピンにガルバニック的に接続され得る。接続部は、更に、接続部の壁内に延在し、チャネル内に通じている第２チャネルを含んでも良い。第２チャネルは接続ワイヤを受容するように配置されている。接続ワイヤは、従って、第２チャネル内に延在すると共に、第１チャネル内まで延在するように配置されても良い。第２チャネルは、故に、接続ピンが第１チャネルに挿入される前及び間における接続ワイヤの保持部として機能し得る。
【００１７】
第２の態様によれば、第１の態様又はその上述の実施形態のいずれかによる口金と、口金に配置されており、少なくとも１つの光源を含む照明モジュールと、を含む電気ランプが提供される。
【００１８】
第３の態様によれば、筐体の第１端部部分と第２端部部分との間に軸方向に延在する筒状筐体と、軸方向周りの筐体に対する絶縁体の回転が防止されるように筐体の第１端部部分に取り付けられた絶縁体とを提供するステップを含む方法が提供され、絶縁体は、筐体の内部スペースの方に面する内側部分と、前記内部スペースから離れる側に面する外側部分と、導電性の接続ピンを受容するための少なくとも１つのチャネルであって、チャネルは外側部分から延在し、絶縁体を通って前記内部スペースに通じている少なくとも１つのチャネルとを有する。方法は、絶縁体に対するハウジングの軸方向周りの回転が防止され、筐体に対するハウジングの回転が防止されるように、電灯を動作するための電気回路を収容するためのハウジングを絶縁体の内側部分に取り付けるステップを更に含む。
【００１９】
第１の態様及びその実施形態と共に記載された詳細及び利点は本発明の概念の第２及び第３の態様にも同様に当てはまる。従って、簡略化のため、その説明についてはここでは反復されない。
【００２０】
本発明は特許請求の範囲に列挙された特徴の全ての可能な組み合わせに関連することに留意されたい。
【００２１】
特に明記しない限りは全体にわたり同様の参照符号が同様の要素を意味する本発明の実施形態を示す添付の図面を参照し、本発明のこの態様及び他の態様がここでより詳細に記載される。
【図面の簡単な説明】
【００２２】
【図１】本発明の一実施形態による組み立てられていない状態における口金の斜視図である。
【図２】組み立てられた状態における口金の斜視図である。
【図３】本発明の一実施形態による筐体及び絶縁体の断面図である。
【図４】図３に示される筐体及び絶縁体の斜視図である。
【図５】本発明の一実施形態によるハウジングの斜視図である。
【図６】本発明の一実施形態による筐体、絶縁体及びハウジングの断面図である。
【図７】本発明の一実施形態による筐体及び絶縁体の断面図である。
【図８】図７に示される筐体及び絶縁体の斜視図である。
【図９】本発明の一実施形態による筐体、絶縁体及びハウジングの断面図である。
【図１０】本発明の一実施形態によるハウジングの端部部分を示す斜視図である。
【図１１】図１０に示されるハウジングの断面図である。
【図１２】本発明の一実施形態による筐体、絶縁体及びハウジングの断面図である。
【図１３】更なる実施形態による口金の斜視図である。
【図１４】図１３に示される口金の断面図である。
【図１５】図１３に示される口金の断面図である。
【発明を実施するための形態】
【００２３】
本発明は、以後、本発明の現在の好適な実施形態が示される添付の図面を参照してより詳細に記載される。本発明は、しかしながら、多くの異なる形態において具現化されても良く、本明細書中において説明する実施形態に限定されると解釈されるべきではなく、むしろ、これら実施形態は徹底性及び完全性のために提供されると共に本発明の範囲を当業者に完全に伝えるものである。
【００２４】
図１及び図２は、一実施形態による電灯用の口金１を示す。図１は、組み立てられていない状態における口金１を示す。図２は、組み立てられた状態における口金１を示す。口金１は、導電性の筒状筐体２を含む。筐体２には外部ねじ山が設けられている。外部ねじ山は口金１がエジソン型ソケットにねじ込まれることを可能にする。筐体２は第１端部部分２ａと第２端部部分２ｂとの間に延在する。この延在の方向は筐体２の軸方向、及び同様に口金１の軸方向と称され得る。筐体２は口金１の第１接点又は側部接点を形成する。
【００２５】
口金１は電気絶縁ハウジング３を含む。ハウジング３は、エンジニアリングプラスチック、熱可塑性エンジニアリングプラスチック、ポリブチレンテレフタレート（ＰＢＴ）若しくはポリカーボネート（ＰＣ）などの高分子材料又はガラスを含んでも良い。ハウジング３は第１端部部分３ａと第２端部部分３ｂとの間を軸方向に沿って延在する。ハウジング３は筐体２の第２端部部分２ｂにある筐体２の開端部から筐体２内に受容されるように配置されている。筐体２とハウジング３とが組み立てられると、ハウジング３の少なくとも一部が筐体２によって囲まれた円筒状の内部スペース内に延びる。第１端部部分３ａは筐体２によって囲まれた内部スペース内に延びる。第２端部部分３ｂは筐体２によって囲まれた内部スペースから突出する。従って、示される実施形態においては、ハウジング３の一部のみが筐体２内部に受容されている。しかしながら、別の実施形態においては、ハウジング３全体が筐体２内部に受容されても良い。ハウジング３は、例えばプリント回路基板の形態の、電灯を動作するための電気回路１１を受容及び収容するように配置されている。電灯の光源は１つ又は複数の発光ダイオード（ＬＥＤ）を含んでも良く、電気回路１１はＬＥＤを駆動するためのＬＥＤドライバを含んでも良い。
【００２６】
口金１は、以後、絶縁体４と称される電気絶縁端部部材を含む。絶縁体４は、エンジニアリングプラスチック、熱可塑性エンジニアリングプラスチック、ポリブチレンテレフタレート（ＰＢＴ）若しくはポリカーボネート（ＰＣ）などの高分子材料又はガラスを含んでも良い。絶縁体４は有利には射出成形されても良い。絶縁体４は、筐体２に対する、絶縁体４の、その軸方向を中心とした回転が防止されるように筐体２の第１端部部分２ａに取り付けられている。ハウジング３は、更には、絶縁体４に対する、ハウジング３の、その軸方向を中心とした回転が防止されるように絶縁体４に取り付けられている。結果として、筐体２に対するハウジング３の回転が防止され得る。これは、以下、より詳細に記載される。
【００２７】
図１及び図２に示されるように、第２端部部分３ｂに、ハウジング３を１つ又は複数の光源を含む照明モジュールなどの更なる構成要素に連結するための特徴が設けられても良い。それによって、口金１と、１つ又は複数の光源を含む照明モジュールとを含む電灯が提供され得る。例として、図１及び図２の参照符号１０は、フィン状冷却要素に取り付けられた１つ又は複数のＬＥＤを含む照明モジュールを概略的に示す。ＬＥＤは透明カバーによって保護されても良い。照明モジュール１０は、ハウジング３に対する、照明モジュール１０の、その軸方向を中心とした回転が防止され得るように第２端部部分３ｂに取り付けられ得る。示されるように、照明モジュール１０はスナップロックによってハウジング３に取り付けられても良い。別法として、照明モジュール１０はハウジング３に接着されても良い。照明モジュール１０は、使用者がランプを把持し、把持部の回転によって口金１をソケット内に挿入することを可能にするランプの把持部としての機能を果たしても良い。別法として又は付加的に、ハウジング３は、筐体の外側に延在し、把持部を形成する部分を提供し得る。
【００２８】
図３は、筐体２及び絶縁体４の軸方向断面図を示す。図４は、筐体２の第２端部部分２ｂから見た筐体２及び絶縁体４の斜視図である。絶縁体４は軸方向外側部分４ａを含む。外側部分４ａは筐体２の内部スペースとは軸方向逆側に面する。外側部分４ａは、従って、口金１の外部表面を提供する。絶縁体４は軸方向内側部分４ｂを含む。内側部分４ｂは筐体２の内部スペースに向かって軸方向に面する。内側部分４ｂは、従って、筐体２内の内部表面を提供する。
【００２９】
絶縁体４は、外側部分４ａから内側部分４ｂに軸方向に延びて筐体２の内部スペースに通じている通し穴を含む。通し穴は接続ピン５を受容するように配置されている。接続ピン５は絶縁体４の通し穴内に延在する。接続ピン５は口金１の第２接点を形成する。接続ピン５は以下に更に詳細に記載される接続ワイヤによって回路１１にガルバニック的に接続されても良い。
【００３０】
絶縁体４は取付部４ｃを含む。取付部４ｃは筐体２の第１端部部分２ａに設けられた２つの側方突起物２ａａと２ａｂとの間に圧入嵌めされるか固定される。別法として、絶縁体４は突起物２ａａと突起物２ａｂとの間の位置において射出成形されても良い。突起物２ａａは絶縁体４の周方向の溝内に延在する。突起物２ａｂは筐体２の内部スペース、即ち内側部分４ｂの環状表面に面する絶縁体４の環状表面に沿って取付部４ｃに当接する。各々の突起物２ａａ、２ａｂ間における取付部４ｃの締まり嵌めは、筐体２に対する、絶縁体４の、その軸方向を中心とした回転を防止する。従って、軸方向を中心とした絶縁体４の回転は取付部４ｃを介して筐体２に伝達されても良い。付加的に又は別法として、絶縁体４（又はその取付部４ｃ）は筐体２の端部部分２ａに締め付けられても良い及び／又は接着されても良い。付加的に又は別法として、筐体２に、第１部分２ａにおいて、筐体２の開口部の縁端部から半径方向内側方向に延在する１つ又は複数の歯を含む歯付把持部が設けられても良い（例えば、１つ又は複数の歯は突起物２ａａを形成する縁端から延在しても良い）。１つ又は複数の歯は縁端部に沿って周方向に分配されても良い。歯付把持部は絶縁体４と係合しても良く、それによって、筐体２に対する、絶縁体４の、その軸方向を中心とした回転を防止しても良い。任意選択的に、絶縁体４に、各々の歯を受容するように配置された１つ又は複数の凹みが設けられても良い。１つ又は複数の凹みは絶縁体４の周囲に周方向に分配されても良い。
【００３１】
絶縁体４は２つの弾性取付部材６を含む。取付部材６は絶縁体４と単一部品に一体成形されても良く、別個に形成され、溶接、接着等によって絶縁体４に取り付けられても良い。取付部材６のそれぞれは絶縁体４の内側部分４ｂから筐体２の第２端部部分２ｂに向かって軸方向に延在する。自由端において、各取付部材６は係合表面６ａを提供する側方突起物を含む。別の実施形態においては、その代わりに、係合表面６ａは各取付部材６の側方凹部によって提供されても良い。係合表面６ａは絶縁体４の内側部分４ｂに向かう方向に面する。以下により詳細に説明されるように、係合表面６ａはハウジング３の対応する係合部と協働しても良い。
【００３２】
図５は、ハウジング３の第１端部部分３ａの斜視図である。第１端部部分３に、組み立てられた状態において、絶縁体４の内側部分４ｂに面する開口部が設けられている。開口部の縁端は取付部材６のための係合部３ｃを提供する。
【００３３】
図６は、組み立てられた状態における筐体２、ハウジング３及び絶縁体４の軸方向断面図である。絶縁体４とハウジング３はスナップロック構成において互いに取り付けられている。取付部材６と係合部３ｃは、絶縁体４とハウジング３の軸方向分離が防止されるように協働するよう配置されている。各々の係合表面６ａがハウジング３の係合部３ｃに係合するように、各取付部材６はハウジング３の開口部内に延在し、開口部の縁端を通過する。
【００３４】
更に図３乃至６を参照すると、絶縁体４は、絶縁体４の内側部分４ｂに配置されている、筐体２の第２端部部分２ｂに向かって軸方向に延在する隔壁部材７を含む。ハウジング３は、ハウジング３の第１端部部分３ａに配置されている、筐体２の第１端部部分２ａに向かって軸方向に延在する対応する隔壁部材８を含む。隔壁部材７、８は絶縁体４及びハウジング３とそれぞれ単一部品に一体的に形成されても良く、別個に形成され、絶縁体４及びハウジング３上に溶接、接着等によって取り付けられても良い。図５に見られ得るように、ハウジング３の第１端部部分３ａには、ハウジング３の内部スペースからハウジング３と筐体２の内部表面との間に形成された環状スペース内に接続ワイヤが延びることを可能にするための、隔壁部材８内に延在するワイヤ用チャネル９が設けられても良い。
【００３５】
図６に示される組み立てられた状態においては、隔壁部材８は隔壁部材７の半径方向外側に配置されている。隔壁部材７の半径方向外側の側部表面は隔壁部材８の半径方向内側の側部表面に係合する。別の実施形態においては、隔壁部材７はその代わりに隔壁部材８の半径方向外側に配置されても良い。これら別の実施形態によれば、隔壁部材８の半径方向外側の側部表面は隔壁部材７の半径方向内側の側部表面に係合する。
【００３６】
隔壁部材７は絶縁体４の内側部分４ｂからハウジング３の第１端部部分３ａまでの全距離に延在しても良い。隔壁部材７は、従って、ハウジング３の第１端部部分３ａに係合しても当接しても良い。別法として、隔壁部材７は絶縁体４の内側部分４ｂからハウジング３の第１端部部分３ａまでの距離の一部のみ延在しても良い。同様に、隔壁部材８はハウジング３の第１端部部分３ａから絶縁体４の内側部分４ｂまでの全距離に延在しても良い。隔壁部材８は、従って、絶縁体４の内側部分４ｂに係合しても当接しても良い。別法として、隔壁部材８はハウジング３の第１端部部分３ａから絶縁体４の内側部分４ｂまでの距離の一部のみ延在しても良い。いずれにしても、隔壁部材７及び隔壁部材８はそれらが軸方向に沿って重なるように軸方向伸張部を呈し得る。
【００３７】
隔壁部材７及び８は二重の利点を提供し得る。第１に、隔壁部材７及び８は、絶縁体４とハウジング３との間に、ハウジング３の内部スペースを、ハウジング３の外部と筐体２の内部表面との間に形成された環状スペースから分離するインターフェースを提供する。注封材料がハウジング３内に入れられる場合、インターフェースは、ハウジング３の第１端部部分３ａの開口部による、ハウジング３から前記環状スペース内への注封材料の漏れを防止し得る。第２に、以下からより良く理解されるように、隔壁部材７及び８はハウジング３と絶縁体４との間の耐ねじれ連結に寄与する。
【００３８】
上述の実施形態のいずれかによる口金１を含む電灯の使用時、ランプの口金１はソケットに挿入され得る。口金１の挿入には、例えば、上述の把持部などの、触れるためにアクセス可能なランプの部分に、使用者が軸方向のトルクを印加することによる軸方向を中心としたランプの回転を含んでも良い。ソケットは筐体２のねじ山に対応するねじ山を含んでも良い。筐体２の外寸及びソケットの対応する内寸は、例として、Ｅ１４又はＥ２７エジソンねじ取付具のものに対応しても良い。印加されたトルクから生じる回転はハウジング３に伝達され得る。回転は、ハウジング３から隔壁部材８及び隔壁部材７を介して絶縁体４に伝達され得る。絶縁体４の回転は筐体２に伝達され得り、筐体２、故に、口金１はソケットにねじ込まれ得る。口金１をソケットから取り外す際、類似のトルクの伝達及び回転が生じ得る。従って、ハウジング３は、絶縁体４に対する、ハウジング３の、その軸方向を中心とした回転が防止されるように絶縁体４に取り付けられ、絶縁体４は筐体２に対する、絶縁体４の、その軸方向を中心とした回転が防止されるように筐体２に取り付けられ、筐体２に対するハウジング３の回転が防止される。
【００３９】
回転中、ハウジング３に印加されるトルクの一部は取付部材６を介して絶縁体３に伝達され得る。実際、幾つかの実施形態では、取付部材６のトルク伝達能力は隔壁部材７、８が省略されても良いほど十分であり得る。そのような実施形態においては、絶縁体４に対するハウジング３の回転が取付部材６のみによって防止され得る。隔壁部材７、８を含む実施形態においては、取付部材６及び隔壁部材７、８によるトルク伝達比は、例えば、取付部材６及び隔壁部材７、８それぞれの剛性、取付部材６とハウジング３との間の接触面の大きさ、及び隔壁部材７と隔壁部材８との間の接触面の大きさを変えることによって変化させても良い。図６に示される実施形態においては、隔壁部材７と隔壁部材８との間の接触面は取付部材６とハウジング３との間の接触面よりも大きい。隔壁部材７、８は、従って、取付部材６よりも大きな部分のトルクをハウジング３から絶縁体４に伝達し得る。
【００４０】
示される実施形態においては、取付部材６は絶縁体４に設けられており、係合部３ｃはハウジング３に設けられている。別の実施形態においては、取付部材６は、その代わりに、ハウジング３の第１端部部分３ａに設けられても良く、係合部３ｃは絶縁体４に設けられても良い。更に、示される実施形態においては、隔壁部材７は取付部材６を周方向に完全に取り囲む。別の実施形態においては、隔壁部材７は取付部材６を周方向の一部分のみ取り囲んでも良い。
【００４１】
口金１は、（該当する場合には）隔壁部材７が隔壁部材８によって囲まれる（又は幾つかの実施形態ではその逆となる）ように、及び取付部材６が係合部３ｃにパチンと嵌るようにハウジング３と絶縁体４とを軸方向に整列し、ハウジング３と絶縁体４とを組み合わせることによって効率的且つ便利に組み立てられ得る。絶縁体４は前のステップにおいて筐体２と組み立てられていても良く、口金１は、ハウジング３を筐体２内にその第２端部部分２ｂから導入し、ハウジング３を絶縁体４と接触させることによって組み立てられても良い。
【００４２】
図７及び図８は、別の実施形態による絶縁体４’を示す。絶縁体４’は絶縁体４に類似するが、隔壁部材７’の端部表面に配置された取付部材６’を含むという点で異なる。取付部材６’は絶縁体４’から離れる方に軸方向に延在する。取付部材６’は軸方向に減少して楔を形成する厚さ（即ち半径方向の）を示す。取付部材６’は隔壁部材７’と一体的に形成されても良く、隔壁部材７’はテーパ状の、軸方向に配向された端部部分を呈し、取付部材６’を形成するとされても良い。取付部材６’は隔壁部材７’の端部表面全体に沿って延在しても良い。他の実施形態においては、取付部材６’は隔壁部材７’の端部表面の１つ又は複数の不連続部分のみに沿って延在しても良い。
【００４３】
図９は、組み立てられた状態における筐体２、ハウジング３及び絶縁体４を示す。取付部材６’は、溶接、例えば超音波溶接によってハウジング３の第１端部部分３ａと接合されるか結合される。超音波振動が、例えば、絶縁体４’に適用されても良い。取付部材６’は取付部材６’とハウジング３との間の狭い接触面に振動エネルギを収束し、それによって溶接継手を形成しても良い。ハウジング３の第１端部部分３ａの接触面は、従って、取付部材６’のための係合部を形成する。ハウジング３への取付部材６’の溶接によって、絶縁体４とハウジング３の軸方向分離が防止される。更に、上記説明と同様に、ハウジング３に印加されたトルク又は回転は隔壁部材７’及び８を介して絶縁体４に伝達され得る。また、上記説明と同様に、ハウジング３に印加されるトルクの一部は取付部材６’を介して絶縁体３に伝達され得る。ハウジング３への取付部材６’の溶接によって、取付部材６’とハウジング３との間に周方向に延在する、かなりの量（即ち、電灯の通常使用という状況においてかなりの）のトルクをハウジング３と絶縁体４’との間において伝達することが可能な溶接継手を形成することが可能である。従って、幾つかの用途においては、取付部材６’のトルク伝達能力はハウジング３の隔壁部材８が省略されても良いほど十分であり得る。そのような実施形態においては、絶縁体４’に対するハウジング３の回転は取付部材６’のみによって防止され得る。絶縁体４’は、また、摩擦溶接、振動溶接又は鏡溶接などの他の種類の溶接を使用してハウジング３に取り付けられても良い。
【００４４】
示される実施形態においては、取付部材６’は隔壁部材７’に設けられている。別の実施形態においては、取付部材６’は、その代わりに、隔壁部材８に設けられても良く、対応する係合部が絶縁体４’の内側部分４ｂ’に設けられても良い。
【００４５】
図１０は、ハウジング３’の更なる発展形を斜視図で示す。図１１は、ハウジング３’の断面図を示す。図１２は、ハウジング３’を含む口金の断面図を示し、ハウジングは絶縁体４’に取り付けられている。ハウジング３’はハウジング３に類似するが、ハウジング３’がその第１端部部分３ａ’に配置された接続部１２を含むという点で異なる。接続部１２は端部部分３ａ’の中央に配置されている。接続部１２は軸方向に延在するチャネル１２ａを含む。チャネル１２ａは接続部１２の壁１２ｂによって周方向に囲まれている。接続部１２は、壁１２ｂ内に延在し、且つチャネル１２ａ内に通じている側方チャネル１２ｃを更に含む。軸方向チャネル１２ａは接続ピン５の端部部分５ａを受容するように配置されている。図１２を参照すると、口金は接続ワイヤ１４を更に含む。側方チャネル１２ｃは接続ワイヤ１４を受容するように配置されている。接続ワイヤ１４は、ハウジング３’内部の電気回路１１から、ハウジング３’の端部部分３ａ’の開口部１５を通過し、接続ピン５まで延在するように配置されている。接続ワイヤ１４の第１端部部分は回路１１にガルバニック的に接続されている。第１端部部分と逆側の、接続ワイヤ１４の第２端部部分は接続ピン５とガルバニック的に接続されている。チャネル１２ｃには接続ワイヤ１４の断面寸法を下回る断面寸法が提供されても良く、接続ワイヤ１４の、チャネル１２ｃ内に受容された部分はチャネル１２ｃ内において締まり嵌めされても圧入嵌めされても良い。これが、組み立て時におけるハウジング３’及び接続ワイヤ１４の取り扱いを容易にし得る。接続ワイヤ１４は、従って、ハウジング３’の内部スペースからチャネル１２ｃ内に延在するように配置されても良く、接続ワイヤ１４の自由端はチャネル１２ａ内に延在するように配置されても良い。接続ピン５の端部部分５ａがチャネル１２ａ内に受容されると、接続ワイヤ１４の自由端は端部部分５ａと壁１２との間に挟まれると共に圧入嵌めされても良い。接続ワイヤ１４は、従って、固定位置においてはんだ付け無しで接続ピン５の端部部分５ａとガルバニック接触状態にされ得る。
【００４６】
口金は第２接続ワイヤ１６を更に含んでも良い。ハウジング３’は、チャネル９に類似する、第２接続ワイヤ１６を収容するためのチャネル９’を更に含んでも良い。接続ワイヤ１６は、ハウジング３’内部の電気回路１１から、チャネル９’を通過し、筐体２の内部表面まで延在するように配置されても良い。接続ワイヤ１６の第１端部部分は回路１１にガルバニック的に接続され得る。第１端部部分と逆側の、接続ワイヤ１６の第２端部部分は筐体２の内部表面とガルバニック的に接続され得る。筐体２とハウジング３’の相対的な半径方向寸法は環状スペースの半径方向厚さが接続ワイヤ１６の厚さを下回るような程度であっても良く、接続ワイヤ１６は筐体２とハウジング３’との間に挟まれると共に圧入嵌めされても良い。接続ワイヤ１６は、従って、固定位置においてはんだ付け無しで筐体２とガルバニック接触状態にされ得る。上記説明と同様に、ハウジング３’と絶縁体４’との間のインターフェースはハウジング３’と筐体２との間のスペース内への注封材料の漏れを防止する。それによって、接続ワイヤ１６と筐体２との間の接触を妨げる、ランプの使用中に熱膨張を呈する可能性のある注封材料を有するリスクが低減され得る。従って、注封材料が使用される場合であっても、接続ワイヤ１６と筐体２との間の信頼性の高い接続がはんだ付け無しで達成され得る。
【００４７】
図１２に示される口金設計は、ハウジング３’の絶縁体４への取り付け並びに接続ワイヤ１４及び接続ワイヤ１６の、接続ピン５及び筐体２それぞれへの接続を１つの組み立てステップにおいて可能にする。接続ワイヤ１４は回路１１から延在し、チャネル１２ｃを通過するように配置されても良い。接続ワイヤ１６は回路１１から延在し、チャネル９’を通過するように配置されても良い。ハウジング３’及び接続ピン５を含む絶縁体４は、接続ピン５の端部部分５ａがチャネル１２ａ内に挿入され、接続ワイヤ１６が筐体２とハウジング３’との間に挟まれるように軸方向に整列され、且つ組み合わされても良い。上述のように絶縁体４は溶接によって又は別法としてスナップロック構成によってハウジング３’に取り付けられても良い。
【００４８】
接続ワイヤ１６の上述の配置は、接続部１０を含まない実施形態にも適用可能である。例えば、接続ワイヤは図６及び図９に示される口金内に類似の手法で配置されても良い。接続部１０を含まない実施形態においては、接続ワイヤ１４に対応する接続ワイヤが、代わりに、はんだ付けによって接続ピン５に取り付けられても良い。
【００４９】
図１３は、別の実施形態の口金２１を示す。口金２１は口金１に類似するが、Ｂ２２ソケット、ＢＡ１５ソケット、Ｂ１５ソケット等などの差込式ソケットに挿入されるように配置された筐体２２を含むという点で異なる。筐体２とは対照的に、筐体２２はいかなるねじ切りも示さない。その代わりに、筐体２２は、筐体２２の半径方向対向側に配置され、それぞれが筐体２２から半径方向外側方向に延在する第１及び第２ピン２２ａ、２２ｂを含む。筐体２２は、従って、各々のピン２２ａ、２２ｂが受容され且つ回転運動によって固定され得るＬ字型スロットを含む対応する差込式ソケット内に挿入され得る。
【００５０】
図１４及び図１５は、口金２１の２つの相互に垂直な軸方向部分に沿って切った口金２１の断面図である。絶縁体４’に相当する絶縁体２４は隔壁部材７’に相当する隔壁部材２７を含む。ハウジング３又は３’に相当するハウジング２３は、隔壁部材８に相当する隔壁部材２８を含む。ハウジング２３は取付部材６’に相当する取付部材２６によって絶縁体２４に取り付けられている。取付部材２６は、従って、ハウジング２３に溶接されている。差込み式口金２１は、しかしながら、絶縁体２４とハウジング２３との間の溶接接続に限定されず、図６に示されるようなスナップロック構成でハウジング２３が絶縁体２４に接続され得る差込み式口金もまた可能である。
【００５１】
図１３乃至１５に示されるように、絶縁体２４は、口金２１の２つの端部接点を形成する各々の接続ピン２５ａ及び２５ｂを受容するための第１及び第２のチャネルを含む。ハウジング２３には、接続ピン２５ａ及び２５ｂの各々の端部部分を受容するように配置されている一対の接続部２９ａ、２９ｂが設けられても良い。接続ピン２５ａ及び２５ｂは各々の接続部２９ａ、２９ｂ内に締まり嵌め状態で受容され得る。接続ピン２５ａ及び２５ｂは上述と類似の手法で各々の接続ワイヤとガルバニック的に接続され得る。ソケットからの口金の挿入又は取り外し時、ハウジング２３に印加されるトルクの一部は接続部２９ａ、２９ｂ並びに接続ピン２５ａ及び２５ｂを介して絶縁体２４に伝達され得る。事実、幾つかの実施形態では、接続部２９ａ、２９ｂ並びに接続ピン２５ａ及び２５ｂのトルク伝達能力は隔壁部材２７、２８が省略されても良いほど十分であり得る。例えば、取付部材と、第１及び第２接続ピン（接続ピン２５ａ、２５ｂに類似する）と、第１及び第２接続部（接続部２９ａ、２９ｂに類似する）を含むハウジングと、を含む口金が企図され、取付部材（例えばスナップロックの形態の）が、絶縁体とハウジングとの間の分離が少なくとも軸方向において防止されるように絶縁体とハウジングとを互いに接続するように配置されており、接続ピン及び接続部は、絶縁体に対する、ハウジングの、その軸方向を中心とした回転が防止されるように配置されている。
【００５２】
当業者であれば本発明が上述の好適な実施形態に全く限定されないことを認識する。それどころか、添付の特許請求の範囲の範囲内において多くの改良及び変形形態が可能である。例えば、ハウジング３、３’、２３は円筒状以外の別の形状で提供されても良く、ハウジングは三角形、矩形断面又はより一般には多角形断面を呈しても良い。
【００５３】
更に、示される実施形態においては、隔壁部材７、８、２７、２８は実質的に矩形の断面形状で提供される。別の実施形態においては、隔壁部材はその代わりに三角形又はより一般には多角形で提供されても良い。幾つかの実施形態では、絶縁体及びハウジングには各々の円形又は環状隔壁部材が設けられても良い。環状隔壁部材は、部品を組み合わせるためにハウジングと絶縁体の軸方向を中心とした相対回転が考慮される必要がないことから、口金の組み立てを簡略化しても良い。環状隔壁部材は、例えば、取付部材６、６’又は接続ピン２５ａ、２５ｂのトルク伝達能力が十分であるとみなされる用途において使用されても良い。幾つかの実施形態では、（ハウジング又は絶縁体の）外側環状隔壁部材の半径方向内部表面には１つ又は複数の軸方向に延在するリブが設けられても良く、（ハウジング又は絶縁体の）内側環状隔壁部材の半径方向外部表面には１つ又は複数の軸方向に延在するリブが設けられても良く、軸方向を中心とした外側隔壁部材と内側隔壁部材の相対回転が防止されるように外側隔壁部材の１つ又は複数のリブと内側隔壁部材の１つ又は複数のリブは互いに係合するように配置されている。それによって、環状隔壁部材はハウジングと絶縁体との間においてトルクを伝達するように配置されても良い。
【００５４】
更に、示される実施形態はＬＥＤ光源を参照して記載されてきたが、特許請求の範囲に定義される本発明は他の種類の光源と共に使用されても良い。例えば、電灯は、１つ又は複数のハロゲン光源を含み、ハウジング内の電気回路はハロゲン光源を駆動するための回路を含んでも良く、又は、電灯は蛍光光源を含み、その電気回路は蛍光光源を起動及び駆動するための回路を含んでも良い。
【００５５】
加えて、当業者には特許請求された発明の実施において、図面、本開示及び添付の特許請求の範囲の検討により開示された実施形態の変形形態が理解され得ると共に実施され得る。特許請求の範囲において、「含む（comprising）」という語は、他の要素又はステップを排除するものではなく、不定冠詞「a」又は「an」は複数を排除するものではない。相互に異なる従属請求項において特定の処置が列挙されたという単なる事実はこれら処置の組み合わせが効果的に使用され得ないことを示すものではない。
【図１】
2015522919.tif 000003
【図２】
2015522919.tif 000004
【図３】
2015522919.tif 000005
【図４】
2015522919.tif 000006
【図５】
2015522919.tif 000007
【図６】
2015522919.tif 000008
【図７】
2015522919.tif 000009
【図８】
2015522919.tif 000010
【図９】
2015522919.tif 000011
【図１０】
2015522919.tif 000012
【図１１】
2015522919.tif 000013
【図１２】
2015522919.tif 000014
【図１３】
2015522919.tif 000015
【図１４】
2015522919.tif 000016
【図１５】
2015522919.tif 000017
【国際調査報告】
2015522919.tif 000018
2015522919.tif 000019
2015522919.tif 000020